(57)【要約】 【課題】  種々の方向へホースをたぐっても、ホースリール装置を倒れ難く扱い易くする。【解決手段】  外ケース１９は、上方を開放して内側円筒状に形成され内側に水を溜めることができる。内ケース２１は外側筒状を有し、外ケース１９から突出するようにそれに遊びを持って同心円状に嵌められる。内ケース２１は、外ケース１９から突出する位置にて、その内側にホース巻き取り用のホースリール３１を回転自在に支持する。ホースリール３１は、リール軸３７の一端部から外部へ延設された固定軸３９の先端を外部との給水部４９とし、そのリール軸３７の途中にホース４５との給水連結部４７を設ける。【選択図】  図１
2006036370.tif 000002
【特許請求の範囲】
【請求項１】
上方を開放して内側円筒状に形成され当該内側に水を溜める外ケースと、
この外ケースから突出するようにそれに遊びを持って同心円状に嵌められた外側筒状の内ケースと、
前記外ケースから突出する位置にて前記内ケースの内側に回転自在に支持されたホース巻き取り用のホースリールであって、当該ホースリールのリール軸の一端部側から外部への回転しない固定軸を有し、この先端を外部との給水部とするとともに、前記リール軸の途中に前記給水部から連通した前記ホースとの給水連結部を形成したホースリールと、
を具備することを特徴とするホースリール装置。
【請求項２】
前記内ケースは、前記外ケース内に水を溜めたとき前記外ケースの底から浮くものである請求項１記載のホースリール装置。
【請求項３】
前記外ケースから前記内ケースの突出量を規制する突出規制部材を有する請求項２記載のホースリール装置。
【請求項４】
前記外ケースに対する前記内ケースの回転を抑える留め具を有する請求項１〜３のいずれか１項記載のホースリール装置。
【請求項５】
前記ホースリールは、前記リール軸から延設された前記固定軸に前記給水部からの給水を別の外部と前記リール軸側への流路を選択的に切換え分岐させる分岐切換部を有する請求項１〜４のいずれか１項記載のホースリール装置。
【請求項６】
前記内ケースは、前記ホースリールにあって前記リール軸の軸方向中程に相当する部分を上方向へ突出させた山形のガイド片を前記リール軸に面するように有する請求項１〜５のいずれか１項記載のホースリール装置。
【発明の詳細な説明】
【技術分野】
【０００１】
本発明はホースリール装置に係り、散水用のホースを巻き取るホースリール装置の改良に関する。
【背景技術】
【０００２】
この種のホースリール装置は、家庭用、業務用ともに多用されており、例えば、図１０に示すような構成が良く知られている。
【０００３】
すなわち、方形の基台１の対向辺から支持片３、５を対面するように一体的に立設し、それら支持片３、５の先端部間を連結して取っ手７を形成し、支持片３、５の間にホースリール９を配置して支持片３、５の中程に回転自在に軸支させた構成となっている。
【０００４】
ホースリール９は、対面する円板状のリール板１１、１３と、この間を連結する筒型のリール軸（図１０では見えない。）と、そのリール軸の一端を支持片３から突出させ（図１０では見えない。）、他端を支持片５から突出させてハンドル１５を設けている。
【０００５】
このホースリール装置は、リール軸にあってハンドル１５とは反対の一端から連通する給水連結部（図１０では見えない。）にはめ込んだホース１７をリール軸に巻き付けてなり、ホース１７をホースリール９から引き出すとともに、水道蛇口から延びるホース（図示を省略）をホースリール９におけるリール軸の一端に連結して使用される。
【０００６】
なお、ホースリール９のリール軸において、水道蛇口から延びるホースを連結する部分は回転しないようになっている。
【０００７】
この種のホースリール装置は、５ｍとか１０ｍのホース１７をホースリール９に巻き付けて製品化されているが、水道蛇口から数十ｍもの長い距離を散布するには、複数のホースを連結するか、数十ｍもの長いホースを使用する。
【０００８】
ところが、散布はある面積を作業者が移動しながらホース１７をたぐったり引き寄せたりしながら行うが、その際にホースリール装置が倒れ易く、極めて扱い難い。
【０００９】
そこで、従来、ホースリール装置の基台１中を中空形状として例えば水を入れて重くしたり、基台１自体を重い材料で形成したり、基台１を大形に形成するなどして安定化した構成が提案されている。
【００１０】
例えば、特開２００４−１３７０７４号公報（特許文献１）は前者の例である。
【特許文献１】特開２００４−１３７０７４号
【発明の開示】
【発明が解決しようとする課題】
【００１１】
しかしながら、上述したホースリール装置は、基台１中に水を入れたりして基台１自体を重くしても、作業者が色々な方向へ移動しながらホース１７をたぐったり引き寄せたりすると、依然としてホースリール装置が倒れ易く、結局、課題が改善されていないのが現状である。
【００１２】
また、ホースリール装置の基台１を大形にする構成では、広い保管スペースが必要になったり、持ち運びや移動が困難であるなどの難点がある。
【００１３】
本発明はこのような課題を解決するためになされたもので、多方向へホースをたぐったり引き寄せても倒れ難く、扱い易く、安価なホースリール装置の提供を目的とする。
【課題を解決するための手段】
【００１４】
そのような課題を解決するために本発明は、上方を開放して内側円筒状に形成され当該内側に水を溜める外ケースと、この外ケースから突出するようにそれに遊びを持って同心円状に嵌められた外側筒状の内ケースと、その外ケースから突出する位置にてその内ケースの内側に回転自在に支持されたホース巻き取り用のホースリールであって、当該ホースリールのリール軸の一端部側から外部への回転しない固定軸を有し、この先端を外部との給水部とするとともに、そのリール軸の途中にその給水部から連通した上記ホースへの給水連結部を形成したホースリールとを具備している。
【００１５】
そして、本発明では、前記外ケース内に水を溜めたときその外ケースの底から上記内ケースが浮くように構成すると良い。
【００１６】
また、本発明では、上記外ケースから内ケースの突出量を規制する突出規制部材を設けると良い。
【００１７】
さらに、本発明では、上記外ケースに対するその内ケースの回転を抑える留め具を設けても良い。
【００１８】
さらにまた、本発明では、そのリール軸から延設された上記固定軸に上記給水部からの給水を別の外部とリール軸側への流路を選択的に切換え分岐させる分岐切換部を上記ホースリールに設けることも可能である。
【００１９】
さらにまた、本発明では、上記ホースリールにあってそのリール軸の軸方向中程に相当する部分を上方向へ突出させた山形のガイド片を、そのリール軸に面するように上記内ケースに設けることも可能である。
【発明の効果】
【００２０】
このように構成した本発明では、内側円筒状の外ケースに、この外ケースから突出するように遊びを持って内ケースを同心円状に嵌めて二重構造とし、その外ケースから突出する位置にてその内ケースの内側に回転自在にホースリールを支持させ、当該ホースリールの筒状リール軸の一端部側を給水部とするとともにそのリール軸の途中をホースの給水連結部としたから、ホースをたぐったり引き寄せると、外ケースに対して内ケースが簡単に回転変位し、種々の方向へホースをたぐったり引き寄せても、ホースリール装置が倒れ難く扱い易く、安価である。
【００２１】
そして、上記外ケース内に水を溜めたときその外ケースの底から上記内ケースが浮くようにこれを構成すれば、外ケースに対して内ケースがより小さな力で回転変位し、ホースリール装置の自重も重くなってより倒れ難くでき、扱いも簡単になる。
【００２２】
また、上記外ケースから内ケースの突出量を規制する突出規制部材を設ける構成では、外ケースに入れる水の量に多少に限らず内ケースの回転力を一定化でき、溜める水の調節が容易で、重心を低く保ってホースリール装置をより倒れ難くできる。
【００２３】
さらに、上記外ケースに対するその内ケースの回転を抑える留め具を設ける構成では、不要意な内ケースの回転を抑え、使い易くできる利点がある。
【００２４】
さらにまた、そのリール軸からの固定軸に上記給水部からの給水を別の外部とリール軸側への流路を選択的に切換え分岐させる分岐切換部を設ける構成では、複数のホースリール装置を連結することが可能で、離れた場所の散水も容易となる。
【００２５】
さらにまた、リール軸の軸方向中程に相当する部分を上方向へ突出させた山形のガイド片を上記内ケースに設ける構成では、ホースをリール軸に巻き付ける際に、引き出されたホースがリール軸の軸方向における一方の端側に寄せて多く巻かれると、ホースがガイド片先端に当接していると、それが山形のガイド片の頂部からリール軸の他方の端側に滑り落ちるように移動し易く、ホースをリール軸に均等に巻き易い。
【発明を実施するための最良の形態】
【００２６】
以下、本発明の実施の形態を図面を参照して説明する。
【００２７】
図１〜図３は本発明に係るホースリール装置Ａの実施の形態を示す概略断面図（図２中のＩ−Ｉ間断面）、概略側面図、概略上面図である。
【００２８】
外ケース１９は、例えば合成樹脂から上方を開放して内側円筒状の有底に形成され、当該内側に水を溜められる広口のカップ状に成形されている。
【００２９】
この外ケース１９には、これから突出するように外側円筒状の内ケース２１がそれに遊びを持って同心円状に嵌められ、二重構造となっている。
【００３０】
内ケース２１は、例えば合成樹脂から上方を開放して内側円筒状の有底に形成され、当該内側に水を溜められる広口のカップ状に成形されており、その外周直径寸法が外ケース１９の内側直径寸法より少し小径となっている。
【００３１】
そのため、外ケース１９の内側と内ケース２１の外側との間は、例えば数ｃｍ程度のすき間となっている。
【００３２】
内ケース２１は、外ケース１９内に水２３が溜められていない状態では、その外底が外ケース１９の内底に当接しており、水２３が溜められた状態では、内ケース２１の自重にもよるが、浮力によって若干浮くようになっている。
【００３３】
内ケース２１の対角位置には、図２および図３に示すように、支持片２５、２７が対面するように一体的に立設され、それら支持片２５、２７の先端が連結されて取っ手２９（図３では図示せず。）が形成されている。
【００３４】
内ケース２１の支持片２５、２７には、ホース巻き取り用のホースリール３１がそれらの間に位置して回転自在に軸支されている。
【００３５】
ホースリール３１は、所定の間隔で対面するように位置する円板状のリール板３３、３５と、これらリール板３３、３５の中央部を貫通してこれらを支持して支持片２５、２７に回転自在に軸支されたリール軸３７とを有して形成されている。
【００３６】
ホースリール３１のリール軸３７は、一端側が一方の支持片２５において回転しない筒状の固定軸３９に回転自在な公知の連結軸支構成を介して支持片２５に支持される一方、反対側の他端側が支持片２７に直接軸支されるとともに外部へ突出し、ホースリール３１を回転させる公知のハンドル４１が形成されている。図中の符号４３はリール軸３７にハンドル４１を固定する公知のねじである。
【００３７】
リール軸３７は、その固定軸３９側から中空部となって途中まで延び、外部へ向けて突出するボス状の給水連結部４７に連通されている。
【００３８】
給水連結部４７にはホース４５の一端がはめ込み連結され、このホース４５がリール軸３７に適当に巻かれる。図１中のホース４５は簡略化して示す。
【００３９】
固定軸３９は、支持片２５から外部へ延びるとともその先端を外部との給水部４９としており、この給水部４９に例えば水道蛇口から延びるホース（図示を省略）をはめ込んで給水を受けるようになっている。
【００４０】
固定軸３９は、そのリール軸３７と給水部４９までの間において、分岐給水部５１が連結形成されるとともに、給水部４９からリール軸３７における給水連結部４７側への流路と、別の外部への分岐給水部５１への流路を選択的に切換え分岐させる公知の分岐切換部５３を有している。なお、固定軸３９は、分岐切換部５３を設けない場合、短くても良い。
【００４１】
そして、内ケース２１は、その外底が外ケース１９の内底に当接した状態又は外ケース１９内にはめ込んだ状態で、リール軸３７や固定軸３９が外ケース１９の開口部に当接しないような寸法で形成され外ケース１９の開口部から突出している。
【００４２】
もっとも、外ケース１９の開口部から外ケース１９内に水２３が多少でも溜められ若干浮き上がった状態で、リール軸３７や固定軸３９が外ケース１９の開口部に当接しないような寸法で形成しても良い。
【００４３】
次に、上述した本発明のホースリール装置Ａの使用例を簡単に説明する。
【００４４】
まず、水道蛇口から延びるホースを給水部４９にはめ込むとともに、給水部４９からリール軸３７の給水連結部４７への流路を形成されるよう分岐給水部５１を調整する。
【００４５】
そして、水道蛇口から延びるホースを介して給水すれば、給水連結部４７からホース４５の一端へ給水され、ホース４５の他端から散水できる。
【００４６】
その際、ホース４５の他端から外ケース１９内、すなわち外ケース１９と内ケース２１の間に水２３を適度に入れると、内ケース２１が外ケース１９内で船のように浮き上がった状態となるうえ、外ケース１９の自重も重くなる。
【００４７】
しかも、外ケース１９の内側と内ケース２１の外側が円筒状になっていることから、外ケース１９内で浮き上がった状態の内ケース２１は、リール軸３７に巻かれたホース４５を引っ張ると、外ケース１９に対して弱い力でも極めて容易に回転変位する。
【００４８】
給水部４９から分岐給水部５１への流路を選択的に形成するよう分岐切換部５３を切換え調整分岐させれば、分岐切換部５３に連結したホース（図示せず。）へ給水させることが可能となる。すなわち、ホースの連結装置として機能する。
【００４９】
そのため、散水作業者が色々な方向へ移動しながらホース４５をたぐったり引き寄せても、そのホース４５を巻き付けた内ケース２１のみが小さな力で簡単かつ円滑に回転変位し、水２３を溜めた外ケース１９の自重が重くなるのでホースリール装置自体が転倒し難くなる。
【００５０】
しかも、外ケース１９と内ケース２１の二重構成と、散水用の水２３を溜めるだけで構成可能であるから、構成が簡単でコストもアップし難いし、外形形状も従来のように小型化を維持可能で、持ち運びや移動も容易である。
【００５１】
また、給水部４９から分岐給水部５１への流路を選択的に形成するよう分岐切換部５３を有するから、ホース４５のみならず、別のホースへの選択的給水が可能となる（後述する図９参照）。
【００５２】
さらに、内ケース２１にも水２３を溜めておけば、ホース４５が土で汚れても自動的に洗浄され、ホース４５を常に綺麗な状態に保つことが可能である。
【００５３】
もっとも、本発明のホースリール装置Ａでは、必ずしも、外ケース１９内に水２３を入れて内ケース２１を浮き上がった状態にしなくとも、外ケース１９に対して内ケース２１を回転可能であるが、内ケース２１を外ケース１９の内底から浮き上がった状態にした方が、小さな力で極めて容易に回転変位させることができる。
【００５４】
例えば、図示はしないが、外ケース１９と内ケース２１の間にビー玉のように球体を介在させたり、内ケース２１の外周にフランジや当接片を突出させて外ケース１９の上端に当接させるなどしても、水２３を入れずに回転確保が可能であろう。
【００５５】
内ケース２１を外ケース１９の内底から浮き上がらせる構成としては、上述したように、外ケース１９内に水２３を溜めて有底の内ケース２１を浮かべる構成の他、例えば図５に示すように、内ケース２１の例えば底部に密封空間５５を形成して浮力を上げても良いし、内ケース２１自体を水２３などに浮かぶ材料にして浮力を生じさせても良い。
【００５６】
もし、浮力の大きい内ケース２１であれば、図５に示すように、内ケース２１の底に貫通孔５７を形成することが可能となり、自動的に内ケース２１に水２３が溜まってホース４５を自動的に洗浄できる。
【００５７】
内ケース２１の浮力を調整する構成としては、例えば図６Ａに示すように、内ケース２１の外周下部にねじ溝５９を形成し、このねじ溝５９にはまるねじ溝６１を内周に有する補助ケース６３をその内ケース２１の外周下部にねじ込み、少なくとも補助ケース６３を水より小さ比重を有する軽い材料で形成するとともにそのねじ込み量を調整することで可能となる。図６中の符号６５は貫通孔である。
【００５８】
また、本発明のホースリール装置Ａにおいては、重心を低く保って転倒を防止する観点から、外ケース１９に対して内ケース２１をあまり大きく浮かせる必要はなく、僅かでも外ケース１９の内底から浮き上がらせれば良い。
【００５９】
そのため、例えば図２に示すように、外ケース１９の開口部の対角位置から係止片６７を横方向へ突出させるとともに、内ケース２１の開口部の同じ対角位置からコ字状の規制片６９を突設して係止片６７を外側から囲んで突出規制部材７１を形成すると良い。
【００６０】
このように、外ケース１９に係止片６７を形成し、内ケース２１に規制片６９を形成して内ケース２１の突出規制部材７１を形成すれば、外ケース１９に入れる水２３の量の多少に限らず、外ケース１９に対する内ケース２１の突出量が規制され、外ケース１９に対する内ケース２１の突出量を小さく保って確実に転倒を防止できる。
【００６１】
なお、図２に示すように、外ケース１９の上部に水抜孔７３を複数形成すれば、余分な水２３を外部へ自動的に流して適切な浮力を保つことが可能となる。
【００６２】
また、図６Ｂに示すように、外ケース１９の内底中央部と内ケース２１の外底中央部間を適当な短い長さの鎖（突出規制部材）７５で連結しておけば、外ケース１９に対する内ケース２１の突出量を小さく保って確実に突出量を規制できる。
【００６３】
さらに、本発明のホースリール装置Ａにおいては、図４に示すように、内ケース２１の外周面に縦断面凹溝７７を上下方向に1個以上形成すれば、外ケース１９と内ケース２１の間に水２３を入れて溜め易い利点があるし、凹溝７７の形状や個数を適当に変えれば、内ケース２１の回転力を適切な範囲に調整でき、内ケース２１の回り過ぎなどを改善できる。
【００６４】
さらにまた、本発明のホースリール装置Ａにおいては、図示はしないが、外ケース１９に対する内ケース２１の回転を抑える留め具（例えば、リングとこれに係止するフック）を外ケース１９および内ケース２１に分けて設けると、不用意な内ケース２１の回転を抑えることが可能で、例えばホース４５の巻き取り時や運搬時の扱いが楽になる。
【００６５】
そして、本発明では、図７および図８に示すように、ホースリール３１を収納可能な円筒状体を軸方向に沿って半割状に形成されたガイド体７９であって、その軸方向に沿った一方の縁辺から先端を円弧状の山形にしたガイド片８１を一体的に突出させたガイド体７９を用いる構成も可能である。
【００６６】
このガイド体７９は、内側にホースリール３１を収納するとともにリール軸３７に回転可能に軸支されて内ケース２１の内側に位置し、ホースリール３１とともに回転可能に支持されている。
【００６７】
しかも、ガイド体７９は、静止状態でホースリール３１のリール軸３７付近から下部を覆っており、その山形のガイド片８１にあってリール軸の軸方向中程に相当する部分を上方向へ突出させた状態でリール軸又はこれから上方に対面して立設されている。しかも、ガイド体７９内にも水２３を溜めることが可能である。
【００６８】
そのため、ホース４５をリール軸３７に巻き付ける際に、ガイド体７９すなわちに山形のガイド片８１に当接するように引き出した状態では、図８に示すように、例えばホース４５がリール軸３７の軸方向における一方の端側（図８中では右端）に寄せて多く巻かれると、ホース４５が山形のガイド片８１の頂部からリール軸３７の他方の端側（同図中では左端）に滑り落ちるように移動し易く、ホース４５をリール軸３７に均等に巻き付け易くなる。
【００６９】
なお、ガイド片８１はガイド体７９に形成する構成に限らず、リール軸３７の軸方向中程に相当する部分を上方向へ突出させた山形のガイド片であって、リール軸３７に面するように内ケース２１に直接的又は間接的に配置されていれば良い。
【００７０】
ところで、本発明に係るホースリール装置Ａにおいて、外ケース１９内に入れる内ケース２１の外形は必ずしも円筒状に限定されず、外ケース１９内で回転可能な筒形又は筒形類似の外形形状であれば、本発明の目的達成が可能であって多少の凹凸は無視し得るし、ホースリール３１を支持する構成、例えば支持片２５、２７の構成やリール軸３７の構成も任意である。
【００７１】
なお、本発明に係るホースリール装置Ａにおいて、外ケース１９の下部に止め栓付きの水抜き孔を設ければ、散水後、装置自体Ａを倒したり傾けずに排水が容易となる。
【００７２】
また、本発明のホースリール装置Ａは、図９に示すように複数個用い、給水部４９、分岐給水部５１、ホース４５を任意に連結すれば、極めて長い長さの散水が可能となる。図６中の符号８３、８５は連結用ホースと水道の蛇口である。
【００７３】
このようにホースリール装置Ａをホース４５、８３で連結すれば１本のホースを長く伸ばすより、大きな力を必要としないし、分岐機構を備えるのでホースリール装置Ａやホース４５、８３どうしを連結し易い。
【００７４】
さらに、最初に複数のホースリール装置Ａを分散して配置してしまえば、ホース４５、８３の付け替えだけで任意のホース長の設定が容易であるし、その途中までのホース４５、８３の長さ分だけ水が通るので水圧が落ちない。
【図面の簡単な説明】
【００７５】
【図１】本発明に係るホースリール装置を示す概略断面図（図２中のＩ−Ｉ間断面）である。
【図２】図１のホースリール装置の概略側面図である。
【図３】図１のホースリール装置における概略上面図である。
【図４】本発明のホースリール装置における外ケースと内ケースとの関係を示す要部分解斜視図である。
【図５】図１のホースリール装置における内ケースの他の例を示す要部断面図である。
【図６】図１のホースリール装置における内ケースの他の例を示す要部断面図である。
【図７】本発明に係るホースリール装置の他の構成に用いるガイド片を示す概略斜視図である。
【図８】図７に示すガイド片を用いた本発明に係るホースリール装置の他の構成を示す要部断面図である。
【図９】本発明のホースリール装置の使用例を説明する図である。
【図１０】従来のホースリール装置である。
【符号の説明】
【００７６】
１  基台
３、５、２５、２７  支持片
７、２９  取っ手
９、３１  ホースリール
１１、１３、３３、３５  リール板
１５、４１  ハンドル
１７、４５、８３  ホース
１９  外ケース
２１  内ケース
２３  水
３７  リール軸
３９  固定軸
４３  ねじ
４７  給水連結部
４９  給水部
５１  分岐給水部
５３  分岐切換部
５５  密封空間
５７、６５  貫通孔
５９、６１  ねじ溝
６３  補助ケース
６７  係止片
６９  規制片
７１  突出規制部材
７３  水抜孔（突出規制部材）
７５  鎖（突出規制部材）
７７  凹溝
７９  ガイド体
８１  ガイド片
８５  蛇口
Ａ  ホースリール装置
【図１】
2006036370.tif 000003
【図２】
2006036370.tif 000004
【図３】
2006036370.tif 000005
【図４】
2006036370.tif 000006
【図５】
2006036370.tif 000007
【図６】
2006036370.tif 000008
【図７】
2006036370.tif 000009
【図８】
2006036370.tif 000010
【図９】
2006036370.tif 000011
【図１０】
2006036370.tif 000012